【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第1のアクセスポイントにおいて、前記第1のアクセスポイントと関連付けられる第1の属性値を特定するステップであって、前記第1の属性値が第1のBSSカラーを含む、ステップと、
前記第1のアクセスポイントにおいて、第2の属性値を受信するステップであって、前記受信された第2の属性値が第2のBSSカラーを含む、ステップと、
前記第1のアクセスポイントにおいて、前記第1のアクセスポイントと関連付けられる前記第1の属性値が前記受信された第2の属性値と同じであると決定するステップと
前記第1のアクセスポイントにおいて、前記第1のアクセスポイントと関連付けられる前記第1の属性値が前記受信された第2の属性値と同じであるとの決定に少なくとも一部基づき、BSSカラー衝突を検出するステップと、
前記第1のアクセスポイントによってサービスされる局にBSSカラー衝突情報を送信するステップと
を備える、方法。
【請求項２】
前記第2の属性値が第2のアクセスポイントと関連付けられ、
前記方法が、
前記第1のアクセスポイントにおいて、前記第1のアクセスポイントと関連付けられる第1のBSS識別子(ID)を特定するステップと、
受信されたフレームから前記第2のアクセスポイントと関連付けられる第2のBSSIDを特定するステップと、
前記特定に少なくとも一部基づき、前記第1のBSSIDが前記第2のBSSIDとは異なることを決定するステップと
をさらに備える、請求項1に記載の方法。
【請求項３】
前記方法が、
閾値の期間を満たす時間長の間前記BSSカラー衝突が継続すると決定するステップをさらに備え、
前記第1のアクセスポイントによってサービスされる局にBSSカラー衝突情報を送信することが、前記BSSカラー衝突が前記時間長の間継続するとの決定に少なくとも一部基づき、
前記BSSカラー衝突情報が、ビーコン、プローブ応答フレーム、アソシエーション応答フレーム、またはこれらの組合せにおいて送信される、請求項1に記載の方法。
【請求項４】
前記方法が、
前記検出されたBSSカラー衝突が閾値を満たす時間長の間継続するとの決定に少なくとも一部基づいて、前記第1のアクセスポイントと関連付けられる第1のBSSカラーを異なるBSSカラーに調整するステップをさらに備え、
前記第1のアクセスポイントと関連付けられる前記第1のBSSカラーを調整するステップが、前記第1のBSSカラーを有効または無効にするステップを備える、請求項1に記載の方法。
【請求項５】
前記調整された第1のBSSカラーに少なくとも一部基づいて、ビーコン、プローブ応答フレーム、アソシエーション応答フレーム、または特別なフレーム、またはこれらの組合せにおいて、前記第1のアクセスポイントによってサービスされる少なくとも1つの局にBSSカラー情報を送信するステップをさらに備える、請求項4に記載の方法。
【請求項６】
前記BSSカラー情報が、BSSカラーの変更が発生する基準時間と、前記第1のアクセスポイントによって選択される新しいBSSカラーの指示とを含む、BSSカラー変更告知を備え、
前記基準時間が、目標ビーコン送信時間(TBTT)と関連付けられるカウントダウン値である、請求項5に記載の方法。
【請求項７】
前記第1のBSSカラーを調整するステップが、重複するBSS(OBSS)と関連付けられる少なくとも1つのBSSカラーに少なくとも一部基づいて、前記第1のアクセスポイントと関連付けられる新しいBSSカラーを選択するステップを備え、
前記選択された新しいBSSカラーが、前記OBSSと関連付けられる前記BSSカラーとは別個の重複しないBSSカラーを備え、
前記方法が、ある範囲の中のカラーを生成するステップをさらに備え、前記新しいBSSカラーを選択するステップが、前記生成されたカラーに少なくとも一部基づく、請求項4に記載の方法。
【請求項８】
BSSカラー情報を要求するイベント要求を局に送信するステップと、
前記送信されたイベント要求に少なくとも一部基づいて、第2のアクセスポイントと関連付けられる他のBSSカラー情報を受信するステップと、
前記受信された他のBSSカラー情報から前記第2のアクセスポイントと関連付けられる追加のBSSカラーを特定するステップと、
前記受信された他のBSSカラー情報からの前記第2のアクセスポイントと関連付けられる特定された追加のBSSカラーに少なくとも一部基づいて、前記範囲の中の第2のカラーを送信するステップと
をさらに備える、請求項7に記載の方法。
【請求項９】
1つまたは複数の隣接するBSSと関連付けられるBSSカラー情報を要求するクエリを、前記第1のアクセスポイントと関連付けられる1つまたは複数の局に送信するステップと、前記クエリを送信するステップが、前記第1のアクセスポイント、前記1つまたは複数の局、またはその両方と関連付けられるカバレッジエリアに少なくとも一部基づき、前記クエリを1つまたは複数の局に送信するステップを含む、ステップと、
前記送信されたクエリに対する応答に少なくとも一部基づいて、前記1つまたは複数の隣接するBSSと関連付けられる前記BSSカラー情報を受信するステップと、
前記受信されたBSSカラー情報に少なくとも一部基づいて、少なくとも1つの隣接するBSSと前記第1のアクセスポイントとの間にカラー衝突が存在すると決定するステップと、
前記第1のアクセスポイントにおいて、前記カラー衝突が存在するとの決定に少なくとも一部基づいて、前記少なくとも1つの隣接するBSSと関連付けられる前記受信されたBSSカラー情報において示されるBSSカラーとは別個の重複しないBSSカラーを備える新しいBSSカラーを選択するステップと
をさらに備える、請求項1に記載の方法。
【請求項１０】
ワイヤレス通信のための方法であって、
局において、第1のアクセスポイントに関連付けられる第1の属性値を特定するステップであって、前記第1の属性値が第1のBSSカラーを含む、ステップと、
前記局において、第2の属性値を有するフレームを受信するステップであって、前記受信された第2の属性値が第2のBSSカラーを含む、ステップと、
前記局において、前記第1の属性値と前記受信された第2の属性値が同じであることを特定するステップと、
前記局において、前記第1のアクセスポイントに関連付けられる前記第1の属性値が前記受信された第2の属性値と同じであるとの特定に少なくとも一部基づき、BSSカラー衝突を検出するステップと、
前記検出されたBSSカラー衝突を示すメッセージを送信するステップと
を備える、方法。
【請求項１１】
前記メッセージを送信するステップが、前記検出されたBSSカラー衝突に少なくとも一部基づいて、イベント報告要素を含むイベント報告フレームを前記第1のアクセスポイントに送信するステップを備え、前記イベント報告が、自律的に生成される、またはAPからの要求を受信したことに応答して生成され、
前記方法が、
前記送信されたメッセージが前記検出されたBSSカラー衝突を示すことに少なくとも一部基づき、前記第1のBSSカラーが無効にされることを示すメッセージを、前記第1のアクセスポイントから受信するステップをさらに備える、請求項10に記載の方法。
【請求項１２】
前記イベント報告要素が、現在前記局との通信範囲の中にある、または以前に前記局との通信範囲の中にあった、またはこれらの組合せである、少なくとも1つのアクセスポイントと関連付けられるBSSID情報、もしくはBSSカラー情報、もしくは検出されたBSSカラー衝突、もしくはこれらの組合せを特定する、イベント報告フィールドを少なくとも備える、請求項11に記載の方法。
【請求項１３】
前記イベント報告要素が、第1のBSSの中の第1のデバイスと関連付けられるBSSID情報、またはBSSカラー情報、または検出されたBSSカラー衝突、またはこれらの組合せを特定し、第2のBSSの中の第2デバイスと関連付けられるBSSID情報、またはBSSカラー情報、または検出されたBSSカラー衝突、またはこれらの組合せを特定する、少なくとも1つのイベント報告フィールドを備える、請求項11に記載の方法。
【請求項１４】
請求項1から9のうちのいずれか一項に記載の方法を実行するように構成された手段を備えるアクセスポイント、または10から13のうちのいずれか一項に記載の方法を実行するように構成された手段を備える局。
【請求項１５】
アクセスポイントにおいて実行されたときに請求項1から9のうちのいずれか一項に記載の方法を実行するプログラム命令を含むコンピュータプログラム、または、局において実行されたときに10から13のうちのいずれか一項に記載の方法を実行するためのプログラム命令を含む、コンピュータプログラム。